(57)【特許請求の範囲】
【請求項１】
ケース内に取付けられる零相変流器の外郭を覆う絶縁部材と一体に、零相変流器を通過する電線を絶縁する隔壁を設けた漏電遮断器であって、前記隔壁が零相変流器自体の平面部と同一面となってケースとの係合面となる一方の垂直部と、ケースの内面に突設されたリブとの係合部となる他方の垂直部とを含むものであることを特徴とする漏電遮断器。
【請求項２】
隔壁を零相変流器の電線引き込み側の端面に突設させた請求項１または２に記載の漏電遮断器。
【発明の詳細な説明】
【０００１】
【発明の属する技術分野】
本発明は、零相変流器と漏電検出基板とを備えた漏電遮断器の改良に関するものである。
【０００２】
【従来の技術】
漏電遮断器は、漏電に伴い電流の相間バランスが崩れることによって発生する零相電流を零相変流器（ＺＣＴ）で検知し、開閉機構をトリップ動作させて回路を遮断する装置である。このためケース内部には、開閉機構のほかに零相変流器と漏電検出基板とが収納されている。零相変流器は環状コイルの外部を樹脂などの絶縁部材でモールドしたものである。
【０００３】
この零相変流器は、その内部に各相の電線（被覆ヨリ線）を通す必要があるため一定の大きさを必要とするものであり、従来はケース内のスペースの余った部分に押し込まれていた。しかし最近は漏電遮断器の小型化が進み、ケース内に余分なスペースがなくなっているため、零相変流器を漏電検出基板の真横に設置することが多い。その結果、零相変流器の内部を通す被覆ヨリ線が団子状となって漏電検出基板の部品とが非常に接近し、被覆ヨリ線の被覆にピンホールがあると短絡事故を起こすことがあった。また零相変流器の内部を貫通する被覆ヨリ線が団子状となり易いため、ケース内への組立作業性も悪かった。
【０００４】
【発明が解決しようとする課題】
本発明は上記した従来の問題点を解決して、零相変流器を漏電検出基板の真横に設置した場合にも短絡事故を招くことがない漏電遮断器を提供するためになされたものである。また本発明の他の目的は、零相変流器の内部を通す被覆ヨリ線が団子状となりにくく、組立作業性をも改良した漏電遮断器を提供することである。
【０００５】
【課題を解決するための手段】
上記の課題を解決するためになされた本発明は、ケース内に取付けられる零相変流器の外郭を覆う絶縁部材と一体に、零相変流器を通過する電線を絶縁する隔壁を設けた漏電遮断器であって、前記隔壁が零相変流器自体の平面部と同一面となってケースとの係合面となる一方の垂直部と、ケースの内面に突設されたリブとの係合部となる他方の垂直部とを含むものであることを特徴とするものである。なお、隔壁を零相変流器の電線引き込み側の端面に突設させることが好ましい。
【０００６】
このように本発明の漏電遮断器は、零相変流器の外郭を覆う絶縁部材と一体に絶縁隔壁を設けたものであるから、零相変流器を通過する電線の絶縁を確保することができる。また隔壁をケースとの係合部を兼ねるものとしたので、ケースに対して零相変流器の位置決めを行ない易く、組立作業性をも改良することができる。
【０００７】
【発明の実施の形態】
以下に本発明の好ましい実施形態を示す。
図１と図２は本発明の漏電遮断器の実施形態を示す内部構造図であり、ケース１の内部に、開閉機構部２と引外し機構部３と漏電検出部４とが組み込まれている。開閉機構部２はクロスバー７の軸５を中心として動く可動接触子６、クロスバー７、トリガーレバー８、ハンドル９との間を連結するリンクピン１０などからなるもので、ハンドル９の操作により可動接触子６に図１、図２に示す開閉動作を行わせることができるほか、引外し機構部３や漏電検出部４によってトリップ動作を行わせることができるものである。これらの動作は従来の漏電遮断器と同様であり、本発明の要部ではないので詳細な説明を省略する。
【０００８】
引外し機構部３は、バイメタル３１を係止したトリップバー１１を備えている。回路に過電流が流れるとトリップバー１１が上昇し、トリガーレバー８の先端の突起１２を持ち上げて開閉機構部２にトリップ動作を行なわせる。また引外し機構部３は短絡電流のような大電流が流れたときに動作する瞬時引外し片１３を備えており、トリガーレバー８の下部の突起１４を蹴って開閉機構部２にトリップ動作を行なわせる。
【０００９】
ケース１の前端部には上段、中段、下段の３つの溝５０が設けられ、図示を略した３つの積層した主幹バーが入り込む。この主幹バーに差し込まれるようにプラグイン式の電源側端子１８が２つ設けられており、このプラグイン式の電源側端子１８は樹脂製のモールド部材５２と一体になっており、このモールド部材５２の軸部の内部空間から電線１９が引き回され、ケースの中間隔壁５１を軸部をして溝と溝の間で回転動作できるようになっている。具体的には、主幹バーを上からＮ極、Ｌ１極、Ｌ２極としたものでは図１のように、上側の電源側端子１８は上段に位置し、下側の電源側端子１８は中段に位置して、Ｎ極、Ｌ１極に接続され１００ＶのＬ１接続となる。また、図２では下側の電源側端子１８は下段に位置し、上側の電源側端子１８は上段から中段へと回転動作途中を描いたもので、中段に動作完了したものではＬ１極、Ｌ２極に接続され２００Ｖとなる。また、一方の側の電源側端子１８だけ回転動作するようにしたものでは１００Ｖ専用としてＬ１極、Ｌ２極接続切り替えできるものである。
【００１０】
漏電検出部４は、零相変流器１５と漏電検出基板１６と引外しコイル１７とを備えている。零相変流器１５は漏電検出基板１６の真横に設けられている。図１，３，４，５に示されるように、この実施形態の漏電遮断器は単相用であるため、電源側端子１８，１８から延びる２本の電線（被覆ヨリ線）１９，１９が零相変流器１５を貫通している。零相変流器１５はこれらの電線１９，１９を流れる電流を合成して零相電流を漏電検出基板１６に出力し、漏電検出回路が漏電と判断したときには引外しコイル１７を動作させてトリップバー１１の上端を引き上げ、開閉機構部２にトリップ動作を行なわせる。
【００１１】
前記したように零相変流器１５の外郭は樹脂等の絶縁部材２０によりモールドされているが、本発明ではこの絶縁部材２０と一体に隔壁２１が設けられている。図３〜図７に示すように、隔壁２１は零相変流器１５の電線引き込み側の端面２２に突設され、前記したケース１の中間隔壁５１の軸部に向けて設けられている。この実施形態では、ほぼコの字状の隔壁２１とＬ字状の隔壁２１とが、端面２２の外周寄りの位置に突設されている。
【００１２】
図４ではコの字状の隔壁２１が左側に示されているが、零相変流器１５をケース１へ取り付けた状態では、図５のように隔壁２１の平面部２３が上側に位置する。そして図５における隔壁２１の左端の垂直部２４が零相変流器１５自体の平面部２５と同一面となっており、ケース１との係合面を構成するとともにケース１の係合部３０に係合している。なお、図５における右側の垂直部２６，２７もケース１の内面に突設されたリブ（図示せず）と係合できるようになっている。このため、これらの隔壁２１を利用して零相変流器１５をケース１に対して位置決めし、組立作業性を高めることができる。
【００１３】
本発明の漏電遮断器は上記のように構成されているため、電源側端子１８，１８から延びる２本の電線１９，１９を零相変流器１５に貫通させる際にヨリ線が団子状になったとしても、電線１９，１９と漏電検出基板１６との間は隔壁２１により絶縁される。特にこれらの隔壁２１は絶縁部材２０と一体に形成されているため、零相変流器１５が漏電検出基板１６の真横に設置されている場合における沿面絶縁距離の拡大に寄与する。
【００１４】
このため、仮に電線１９，１９の被覆にピンホールがあっても、電線１９，１９と漏電検出基板１６との間で短絡事故を起こすおそれがない。また漏電遮断器の組立工程において、隔壁２１を利用して零相変流器１５をケース１に対して容易に位置決めすることができるので、組立作業性を高めることができる。
【００１５】
特に、前記したような回転動作するプラグイン式の電源側端子１８に接続された電線１９は、電源側端子１８が回転することによって生じる電線１９自体の弾性により動きがでる。このようなときも隔壁２１はケース１の中間隔壁５１に設けられた軸部に向けて設けられているので、電線１９が動いても的確に絶縁できるものである。
【００１６】
【発明の効果】
以上に説明したように、請求項１の発明によれば、零相変流器の外郭を覆う絶縁部材と一体に電線を絶縁する隔壁を設けることにより、仮に電線の被覆にピンホール等があっても、電線と漏電検出基板との間の短絡事故を確実に防止することができる。このため本発明は、小型化され内部スペースの少ない漏電遮断器に特に有効なものである。また本発明によれば、隔壁をケースとの係合部を兼ねる両側の垂直部を含むものとしたことにより、零相変流器のケースに対する位置決めを容易にし、組立作業性を高めることができる。更に請求項２の発明によれば、隔壁を零相変流器の電線引き込み側の端面に突設させたことにより、隔壁に電線のガイドとして利用することができ、電線が団子状となることを緩和することができる。
【図面の簡単な説明】
【図１】本発明の漏電遮断器の実施形態を示す閉状態における内部構造図である。
【図２】本発明の漏電遮断器の実施形態を示す開状態における内部構造図である。
【図３】要部の斜視図である。
【図４】零相変流器の斜視図である。
【図５】零相変流器の正面図である。
【図６】漏電検出基板との関係を示す斜視図である。
【符号の説明】
１  ケース
２  開閉機構部
３  引外し機構部
４  漏電検出部
５  軸
６  可動接触子
７  クロスバー
８  トリガーレバー
９  ハンドル
１０  リンクピン
１１  トリップバー
１２  突起
１３  瞬時引外し片
１４  突起
１５  零相変流器
１６  漏電検出基板
１７  引外しコイル
１８  電源側端子
１９  電線（被覆ヨリ線）
２０  絶縁部材
２１  隔壁
２２  端面
２３  平面部
２４  垂直部
２５  平面部
２６  垂直部
２７  垂直部
３０  係合部
３１  バイメタル
【図１】
0004225525.tif 000002
【図２】
0004225525.tif 000003
【図３】
0004225525.tif 000004
【図４】
0004225525.tif 000005
【図５】
0004225525.tif 000006
【図６】
0004225525.tif 000007